(57)【特許請求の範囲】
【請求項１】
開口前面部及び開口下面部を有する箱形状の上ケースであって、少なくともカードリーダ／ライタ部を含む製品内機を収容する上ケースと、
前記上ケースの開口下面部に覆合して前記製品内機を覆う下ケースと、
前記上ケースの開口前面部と勘合する略四辺形状のフロントケース前面部を有すると共に、前記フロントケース前面部の４辺で直角に折り曲げられ、連結されて、形成された上下左右の側面部を有する箱形状のフロントケースと、
前記フロントケース前面部に形成された略矩形状のカード挿入口と、
前記カード挿入口を覆う大きさに形成された、略四辺形状のスライダ前面部を有すると共に、前記スライダ前面部の下辺で、前記フロントケース下側面部に相対するように直角に折り曲げて形成された、略四辺形状のスライダ下側面部を有するスライダーと、
前記スライダ下側面部裏面に設けられているガイド溝と、
前記フロントケース下側面部表面に設けられていて、前記スライダの前記ガイド溝と協働して、前記カード挿入口を開状態又は閉状態とするスラーイダーを左右に移動させるガイドレールと、
前記下ケースを前記上ケース開口下面部から取り外すことなしに、前記フロントケース下側面部に着脱可能である押さえ板であって、前記フロントケース前面部の表面とスライダ前面部の裏面とが接触して、同時に前記フロントケース下側面部の表面とスライダ下側面部の裏面とが接触しながら移動するように、前記スライダ下側面部の一部を前記フロントケース下側面部に押さえつけながら支持する押え板と、
を有すること特徴とするカード挿入口付電気機器。
【請求項２】
請求項１記載のカード挿入口付電気機器において、
前記フロントケース下側面部表面には、スライダに設けられた複数本のガイド溝にそれぞれ対応する部分に複数本の前記ガイドレールが設けられ、そして、前記押え板が、前記複数本のガイドレールのうちの一部のガイドレールを覆うように設けられていることを特徴とするカード挿入口付電気機器。
【請求項３】
請求項１記載のカード挿入口付電気機器において、
前記スライダが閉状態となるようにテンションをかけるスプリングを有し、
前記スプリングの両端を固定するスプリング支持部を、ガイドレールの端部及びスライダの下側面部の端部に有し、そして、
前記スプリング及びスプリング支持部を覆う前記押え板を有している
ことを特徴とするカード挿入口付電気機器。
【請求項４】
請求項３記載のカード挿入口付電気機器において、
前記フロントケース下側面部表面には、スライダに設けられた複数本のガイド溝にそれぞれ対応する部分に複数本の前記ガイドレールが設けられ、そして、前記押え板が、前記スプリング及びスプリング支持部に加えて、前記複数本のガイドレールのうちの一部のガイドレールを覆うように設けられていることを特徴とするカード挿入口付電気機器。
【請求項５】
請求項２〜４いずれか記載のカード挿入口付電気機器において、
前記下ケースは、４箇所のネジ止めにより前記上ケースに固定され、
前記押え板は、２箇所のネジ止めにより前記フロントケース下側面部に固定されている  ことを特徴とするカード挿入口付電気機器。
【発明の詳細な説明】
【０００１】
【発明の属する技術分野】
本発明は、カード挿入口付電気機器に関し、特に、カード挿入口の防塵性を向上させるためのスライダ機構付フロントカバーを備えたカード挿入口付電気機器に関する。
【０００２】
【従来の技術】
セーフティレコーダ等、この種の電気機器には、防塵性を目的としてスライダ機構付フロントカバーを備えたものがあるが、スライダ機構の故障発生時のメインテナンス性があまりよくない等の問題があった。この問題を図４〜図７を用いて説明する。
【０００３】
図４はこの種の電気機器の概観を示す斜視図である。図５及び図６は図４の装置におけるスライダ機構を説明するための正面図及び下面図である。特に、図５（Ａ）及び（Ｂ）はそれぞれ、スライダ閉状態における正面図及び下面図であり、図６（Ａ）及び（Ｂ）はそれぞれ、スライダ開状態における正面図及び下面図である。また、図７は従来の問題点を説明するための分解下面図である。
【０００４】
図４に示すように、この種の電気機器は、上ケース１及び下ケース（ここでは図示できず）、並びにフロントケース２で箱状のケース本体の外形が構成されている。このケース本体の内部には、カードリーダ／ライタ部等の製品内機が収容されている。そして、フロントケース２には、スライダ３及びカード挿入口４が設けられている。
【０００５】
このスライダ３は、下方がほぼ直角に折れ曲がった四辺形の板状をしている。この図においては、スライダ開状態であるが、スライダ３は矢印で示す横方向にスプリング（ここでは図示できず）により常にテンションがかかっており、通常は矢印で示す横方向にスライドしてスライダ閉状態になっている。またカード挿入口４は、情報記録媒体であるカード５が挿入される細長いスリットであり、このカード挿入口４を介して、図中、矢印で示す方向にカード５が挿入される。挿入されたカード５は、この電気機器に内装されるカードリーダ／ライタ部により、データのリード／ライトが行われる。
【０００６】
上記スライダ３のスライダ機構を図５及び図６を用いて説明すると、まず、通常状態においては、スライダ３はスプリング（図７で後述する）による弾性により、図５（Ａ）及び（Ｂ）で示すようなスライダ閉状態に保持されている。このスライダ３は、フロントケース２の下側面に設けられたガイドレール２２Ａ及び、この図には示されないガイドレール２２Ｂ、２２Ｃ（図７で後述する）並びに後述するガイド溝にガイドされて、スライド可能である。すなわち、スライダ３の一部は、前述した上ケース１と、この上ケース１に覆設される下ケース６とによって挟持されて、ガイドレール及びガイド溝にガイドされて横方向にスライド可能である。
【０００７】
カード５の挿入、又は取り出し時には、人力等によって上記スプリングの弾性に逆らって、スライダ３は図６（Ａ）及び（Ｂ）に示すようなスライダ開状態に保持される。そして、カード５の挿入、又は取り出しが終了し、人力等が解放されると、スプリングの弾性により再び図５（Ａ）及び（Ｂ）のスライダ閉状態に戻る。この機構によって、カード挿入／取り出し時以外は、カード挿入口４がスライダ３によってカバーされ、塵等のカード挿入口４から装置内部への侵入が防止される。
【０００８】
このようなスライダ機構を有する上記電気機器は、図７の下面図に示すように、上ケース１、フロントケース２、スライダ３、及び下ケース６から基本的に構成される。
上ケース１には、リーダ／ライタ部やその他の製品内機や、それらが実装されたプリント配線基板が収容されている。図中、１３Ａ〜Ｅは製品内機関連部であり、実際的には、プリント配線基板に半田付けされている上記製品内機及び回路部品の端子や、場合によっては製品内機及び回路部品自体である。そして、この上ケース１にはネジ穴１１、１２も設けられている。
フロントケース２の下側面にはスライダ３をガイドする３本のガイドレール２２Ａ、Ｂ及びＣが形成されている。また、ガイドレール２２Ｂ及びＣの中間端部には、スプリング３２の一端が支持されるスプリング支持部２１が設けられている。
【０００９】
スライダ３の下側面には、上記スプリング３２の他端が支持されるスプリング支持部３１が設けられている。また、このスライダ３は、図示しないが、上記ガイドレール２２Ａ、Ｂ及びＣに対応する３本のガイド溝を有する。
下ケース６は、上ケース１の下面を覆うような四辺形の板状をしており、上ケース１に下から覆合して、製品内機及び関連部を覆う箱状ケースの外形の一部となると共に、スライダ３の下側面をスライド可能に上ケース１に挟持する。また、この下ケース６には、上ケース１にネジ７１〜７４によりネジ止めされる際の貫通孔６１〜６４が設けられている。
【００１０】
このような上ケース１、フロントケース２、スライダ３、及び下ケース６の組立時には、まず、上ケース１に装着されたフロントケース２にスライダ３を取り付ける。そして、破線で示すようにスプリング３２の各端部を、スプリング支持部２１及び３１に引っかける。そして、最後に破線で示すように、スライダ３の下側面をガイドレール２２Ａ〜Ｃを介してスライド可能になるように上ケース１に挟持しつつ、下ケース９を上ケース１の所定位置に位置決めした後、ネジ７１〜７４を貫通孔６１〜６４を介してネジ穴１１、１２等に螺合して製品が完成する。
【００１１】
【発明が解決しようとする課題】
ところで、上述のような構成の電気機器のスライダ機構に故障が発生したり、メインテナンス作業を行う際には、上記と逆の手順で、まず、ネジ７１〜７４を緩めた後、下ケース６を上ケース１から取り外すことになる。この際、スライダ３のみをメインテナンスすればよいにも関わらず、ケースの下部全体を覆う下ケース９を取り外す必要がある。下ケース９はケースの下部全体を覆っているので、多くのネジを緩めたり、取り外したりする必要があり、余分な作業時間を要したり、また取り外したネジを紛失する可能性も高くなる等、メインテナンス性があまりよくない。また、スライダ機構のメインテナンス時に、スライダ機構とは関係のない上記製品内機や製品内機関連部が露出してしまうため、メインテナンス作業時に思わぬ二次障害を誘発する可能性もある。
【００１２】
よって本発明は、上述した現状に鑑み、スライダ機構のメインテナンス性を向上させると共にメインテナンス時の二次障害発生を防止するカード挿入口付電気機器を提供することを課題としている。
【００１３】
【課題を解決するための手段】
上記課題を解決するためになされた請求項１記載のカード挿入口付電気機器は、図１に示すように、開口前面部及び開口下面部を有する箱形状の上ケース１であって、少なくともカードリーダ／ライタ部を含む製品内機を収容する上ケース１と、前記上ケース１の開口下面部に覆合して前記製品内機を覆う下ケース９と、前記上ケース１の開口前面部と勘合する略四辺形状のフロントケース前面部を有すると共に、前記フロントケース前面部の４辺で直角に折り曲げられ、連結されて、形成された上下左右の側面部を有する箱形状のフロントケース２と、前記フロントケース前面部に形成さた略矩形状のカード挿入口４と、前記カード挿入口４を覆う大きさに形成された、略四辺形状のスライダ前面部を有すると共に、前記スライダ前面部の下辺で、前記フロントケース下側面部に相対するように直角に折り曲げて形成された略四辺形状のスライダ下側面部を有するスライダ３と、前記スライダ下側面部裏面に設けられているガイド溝と、前記フロントケース下側面部表面に設けれれていて、前記スライダ３の前記ガイド溝と協働して、前記カード挿入口４を開状態又は閉状態とするスライダ３を左右に移動させるガイドレール２２と、前記下ケース９を前記上ケース１開口下面部から取り外すことなしに、前記フロントケース２下側面部に着脱可能である押さえ板８であって、前記フロントケース前面部の表面とスライダ前面部の裏面とが接触して、同時に前記フロントケース下側面部の表面とスライダ下側面部の裏面とが接触しながら移動するように、前記スライダ下側面部の一部を前記フロントケース下側面部に押さえつけながら支持する押え板８と、を有することを特徴とする。
【００１４】
請求項１記載の発明によれば、上ケース１は、開口前面部及び開口下面部を有する箱形形状であり、少なくともカードリーダ／ライタ部を含む製品内機を収容する。フロントケース２は、フロントケース前面部の４辺で直角に折り曲げられ、連結されて、形成された上下左右の側面部を有する箱形状であって、略四辺形状のフロントケース前面部及びこのフロントケース前面部に接する所定長のフロントケース下側面部を有し、フロントケース前面部が開口前面部に対向するように上ケース１に嵌合する。下ケース９は、開口下面部に覆合して製品内機を覆う。また、フロントケース前面部にはカード挿入口４が形成され、更に  カード挿入口を覆う大きさに形成された、略四辺形状のスライダ前面部を有すると共に、前記スライダ前面部の下辺で、前記フロントケース下側面部に相対するように直角に折り曲げて形成された、略四辺形状のスライダ下側面部を有するスライダーであって、この、スライダ下側面部裏面のフロントケースと接触する面にガイド溝を有し、フロントケース前面部及びフロントケース下側面部に接触しながら、カード挿入口４が開状態及び閉状態になるようにスライドするスライダ３が備わっている。このスライダ３は、フロントケース下側面部表面に形成されたガイドレール２２により前記ガイド溝を介してガイドされながらスライドするように、押え板８によってフロントケース２の下側面部に押さえつけるように支持されている。そして、この押え板８は開口下面部に覆合された下ケース９を開口下面部から取り外すことなしにフロントケース下側面部に着脱可能である。このような構成により、スライダ機構の故障等により、上記スライダ３を取り外す際、製品内機を覆う下ケース９を上ケース１から取り外す必要がなくなる。
【００１５】
上記課題を解決するためになされた請求項２記載のカード挿入口付電気機器は、図１に示すように、請求項１記載のカード挿入口付電気機器において、前記フロントケース下側面部表面には、スライダに設けられた複数本のガイド溝にそれぞれ対応する部分に複数本の前記ガイドレール２２が設けられ、そして、前記押え板が８、前記複数本のガイドレール２２のうちの一部のガイドレール２２Ｂ、Ｃを覆うように設けられていることを特徴とする。
【００１６】
請求項２記載の発明によれば、フロントケース下側面部表面にはスライダ下側面部裏面に設けられた複数本のガイド溝にそれぞれ対応する部分に複数本のガイドレール２２が設けられているので、スライダ３に設けられてた前記ガイド溝を介してガイドレールでガイドされることにより、スライダ３がスムーズにスライドできる。そして、押え板８は複数本のガイドレール２２のうちの一部のガイドレール２２Ｂ、Ｃを覆うので、押え板８の小型化が可能になり、押え板８のフロントケース２からの取り外しが従来に比べ簡単になる。
【００１７】
上記課題を解決するためになされた請求項３記載のカード挿入口付電気機器は、図１に示すように、請求項１記載のカード挿入口付電気機器において、前記スライダが閉状態となるようにテンションをかけるスプリング３２を有し、前記スプリングの両端を固定するスプリング支持部を、フロントケース下側面部表面に設けられたガイドレールの端部及びスライダ３の下側面部の端部に有し、そして、前記スプリング３２及びスプリング支持部２１，３１を覆う前記押え板を有していることを特徴とする。
【００１８】
請求項３記載の発明によれば、フロントケース下側面部表面に設けられたガイドレール２２の端部、及び、スライダ３の端部には、スプリング支持部２１、３１が形成されており、これらに支持されたスプリング３２によりスライダ３が閉状態となるようにテンションがかけられている。したがって、使い勝手及びカードリーダ／ライタ部に対する防塵性が向上する。そして、押え板８はこのようなスプリング３２及びスプリング支持部２１、３１を覆うので、スライダ機構に対する防塵性も向上する。
【００１９】
上記課題を解決するためになされた請求項４記載のカード挿入口付電気機器は、図１に示すように、請求項３記載のカード挿入口付電気機器において、前記フロントケース下側面部表面には、スライダに設けられた複数本のガイド溝にそれぞれ対応する部分に複数本の前記ガイドレール２２が設けられており、そして、前記押え板８が、前記スプリング３２及びスプリング支持部２１、３１に加えて、前記複数本のガイドレールのうちの一部のガイドレール２２Ｂ、Ｃを覆うように設けられていることを特徴とする。
【００２０】
請求項４記載の発明によれば、押え板８は請求項３記載のスプリング３２及びスプリング支持部２１、３１に加えて、スライダ下側面部裏面に設けられた複数本のガイド溝にそれぞれ対応する部分に設けられた複数本の前記ガイドレール２２のうちの一部のガイドレール２２Ｂ、Ｃを覆うので、押え板８の小型化が可能になり、押え板８のフロントケース２からの取り外しがより簡単になる。
【００２１】
上記課題を解決するためになされた請求項５記載のカード挿入口付電気機器は、図１に示すように、請求項２〜４いずれか記載のカード挿入口付電気機器において、前記下ケース９は、４箇所のネジ止めにより前記上ケース１に固定され、前記押え板８は、２箇所のネジ止めにより前記フロントケース下側面部に固定されていることを特徴とする。
【００２２】
請求項５記載の発明によれば、押え板８は下ケース９及び上ケース１のネジ止め箇所より、少ない２箇所のネジ止めによりフロントケース下側面部に固定されているので、従来の下ケース全体よりも少ない数のネジを緩めて取り外すだけで、フロントケース２からスライダ機構のチェックができるようになる。また、従来よりも取り外すネジの本数が少なくなるので、ネジを紛失する可能性も低くなる。
【００２３】
【発明の実施の形態】
以下、本発明の実施の形態を図面に基づいて説明する。
まず図１及び図４を用いて本発明の一実施形態を説明する。図１は、本発明のカード挿入口付電気機器の一実施形態を示す要部の分解下面図である。図４は従来例で説明した通りであるが、本発明の斜視図も同様となる。本発明と従来例との差異は、図１を用いた下面図の説明で明らかになる。
【００２４】
図４に示すように、本電気機器は、上ケース１、下ケース（ここでは図示できず）、押え板（ここでは図示できず）、並びにフロントケース２で箱状のケース本体の外形が構成されている。このケース本体の内部には、カードリーダ／ライタ部等の製品内機が収容されている。そして、フロントケース２には、スライダ３及びカード挿入口４が設けられている。このカード挿入口４には、情報記録媒体であるカード５が挿入される。挿入されたカード５は、この電気機器に内装されるカードリーダ／ライタ部により、データのリード／ライトが行われる。
【００２５】
上ケース１は、開口前面部及び開口下面部を有する箱形形状であり、カードリーダ／ライタ部を含む製品内機やそれらを実装するプリント配線基板を収容する。この上ケース１にはネジ穴１１、１２等も設けられている。この図１では、ネジ穴１１、１２のみを記述しているが、実際には図７の従来例で説明したように、この上ケース１には４つのネジ穴が設けられている。
【００２６】
フロントケース２は、略四辺形状のフロントケース前面部及びこのフロントケース前面部に接する所定長のフロントケース下側面部を有し、フロントケース前面部が開口前面部に対向するように上ケース１に嵌合する。また、フロントケース下側面部には、３本のガイドレール２２（２２Ａ、２２Ｂ、２２Ｃ）が設けられている。更に、ガイドレール２２Ｂ及び２２Ｃの中間端部には、スプリング３２の一端が支持されるスプリング支持部２１が設けられている。
【００２７】
また、フロントケース２の前面部（フロントケース前面部）には、カード挿入口４が形成され、更にこのカード挿入口４の長手方向より長い辺及びこの辺と直交する辺とで構成される四辺形板が、フロントケース前面部及びフロントケース下側面部に沿うように直角に折り曲げられた形状をしており、フロントケース前面部及びフロントケース下側面部に接触しながら、カード挿入口４が開状態及び閉状態になるようにスライドするスライダ３が備わっている。
【００２８】
このスライダ３は、上記ガイドレール２２Ａ〜Ｃに対応する３本のガイド溝を有し、この３本の溝及びガイドレール２２Ａ〜Ｃを介して、スライドするように、スライダ３が押え板８によってフロントケース２の下側面部に押さえつけながら支持されている。また、このスライダ３の下側面には、上記スプリング３２の他端が支持されるスプリング支持部３１が設けられている。そして、この押え板８は開口下面部に覆合された下ケース９を開口下面部から取り外すことなしにフロントケース下側面部に着脱可能になっている。
【００２９】
そして、押え板８は複数本のガイドレール２２のうちの一部のガイドレール２２Ｂ、２２Ｃを覆うように、フロントケース２に取り付けられている。また、押え板８はこれらガイドレール２２Ｂ、２２Ｃの他に、フロントケース下側面部及びスライダ３に形成されたスプリング支持部２１及び３１と、これらに両端が支持されたスプリング３２も覆うようにフロントケース２に取り付けられる。
【００３０】
このように、フロントケース下側面部には、複数本のガイドレール２２が設けられているので、スライダ３がよりスムーズにスライドできる。そして、押え板８は複数本のガイドレール２２のうちの一部のガイドレール２２のみを覆うので、押え板８の小型化が可能になり、押え板８のフロントケース２からの取り外しがより簡単になる。更に押え板８は、スプリング３２及びスプリング支持部２１、３１も覆うので、スライダ機構に対する防塵性も向上する。
【００３１】
なお、上記スプリング３２は所定の弾性を有しており、上記スプリング支持部２１及び３１にその両端が支持されて、その弾性により上記スライダ３が閉状態となるようにテンションがかけられている。このようにスライダ３が閉状態となるようにテンションがかけられているので、使い勝手及び防塵性が向上する。
【００３２】
下ケース９は、上ケース１の開口下面部に覆合して製品内機を覆う四面形状をしている。そして、製品内機及び関連部を下から覆う。また、この下ケース９には、上ケース１にネジ止めする際に利用される貫通孔９１、９２等が設けられている。この図１では、貫通孔９１、９２のみを記述しているが、実際には図７の従来例の下ケース６と同様、この下ケース９には４つの貫通孔が設けられている。
【００３３】
このような上ケース１、フロントケース２、スライダ３、押え板８及び下ケース９の組立時には、まず、上ケース１に装着されたフロントケース２にスライダ３を取り付ける。そして、破線で示すようにスプリング３２の各端部を、スプリング支持部２１及び３１に引っかける。更に、下ケース９を上ケース１の所定位置に位置決めした後、ネジ７１及び７２を貫通孔９１及び９２を介してネジ穴１１及び１２に螺合する。なお、この図では示さないが、上記の他に図７の従来例で示したと同様のネジ７３及び７４等も用いられて、４点のネジ止めによって、上ケース１に下ケース９が固定される。そして、最後に破線で示すように、スライダ３の下側面をガイドレール２２Ａ〜Ｃを介してスライド可能にしてフロントケース２に挟持するように、押え板８をフロントケース２の下側面の所定位置に位置決めした後、貫通孔８５及び８６を介してネジ７５及び７６をネジ穴２５及び２６に螺合して製品が完成する。なお、押え板８をフロントケース２の下側面の所定位置に位置決めする際、押え板８の一辺に設けられた係合突起をフロントケース２の係合穴に、はめ込むようにすると位置決めが容易である。
【００３４】
ところで、上述のような本電気機器のスライダ機構に故障が発生したり、メインテナンス作業を行う際には、単に、ネジ７５及び７６を緩めて取り外した後、押え板８をフロントケース２から取り外すだけでよい。すなわち、スライダ機構の故障等により、上記スライダ３を取り外す際、製品内機を覆う下ケース９を上ケース１から取り外す必要がなくなる。この結果、本カード挿入口付電気機器によれば、メインテナンス性を向上させると共にメインテナンス時に製品内機やその関連部に対する二次障害発生を防止することができるようになる。また作業時間短縮の効果も得られる。
【００３５】
更に本カード挿入口付電気機器によれば、押え板８は下ケース９及び上ケース１のネジ止め箇所（４箇所）より、少ない箇所（２箇所）のネジ止めによりフロントケース下側面部に固定されているので、従来よりも少ない数のネジを緩めて取り外すだけで、スライダ機構のチェックができるようになる。また、従来よりも取り外すネジの本数が少なくなるので、ネジを紛失する可能性も低くなる。この結果、本カード挿入口付電気機器によれば、メインテナンス性がより向上する。
【００３６】
次に、図２及び図３を用いて上記スライダ３のスライダ機構を説明しておく。図２及び図３は図１に示した本装置におけるスライダ機構を説明するための正面図及び下面図である。特に、図２（Ａ）及び（Ｂ）はそれぞれ、スライダ閉状態における正面図及び下面図であり、図３（Ａ）及び（Ｂ）はそれぞれ、スライダ開状態における正面図及び下面図である。
【００３７】
まず、通常状態においては、スライダ３は上記スプリング３２による弾性により、図２（Ａ）及び（Ｂ）で示すようなスライダ閉状態に保持されている。このスライダ３は、フロントケース２の下側面に設けられた上述したガイドレール２２及びガイド溝にガイドされて、スライド可能である。すなわち、スライダ３の一部は、前述した上ケース１と、この上ケース１に装着される押え板８とによって挟持されて、ガイドレール及びガイド溝にガイドされた横方向にスライド可能である。
【００３８】
カード５の挿入、又は取り出し時には、人力等によって上記スプリングの弾性に逆らって、スライダ３は図３（Ａ）及び（Ｂ）に示すようなスライダ開状態に保持される。そして、カード５の挿入、又は取り出しが終了し、人力等が解放されると、スプリングの弾性により再び図１（Ａ）及び（Ｂ）のスライダ閉状態に戻る。この機構によって、カード挿入／取り出し時以外は、カード挿入口４がスライダ３によってカバーされ、塵等のカード挿入口４から装置内部への侵入が防止される。
【００３９】
なお、上記実施形態では、上記押え板８をフロントケース２に固定するのにネジ７５及び７６は２本であるが、これを例えば１本にして更に作業時間を短縮させることも可能である。
【００４０】
【発明の効果】
以上説明したように、請求項１記載の発明によれば、スライダ３はフロントケース下側面部に形成されたガイドレール２２を介してスライドするように、押え板８によってフロントケース２の下側面部に押さえつけながら支持されている。そして、この押え板８は開口下面部に覆合された下ケース９を開口下面部から取り外すことなしにフロントケース下側面部に着脱可能である。従って、スライダ機構の故障等により、上記スライダ３を取り外す際、製品内機を覆う下ケース９を上ケース１から取り外す必要がなくなる。この結果、請求項１記載の発明によれば、メインテナンス性を向上させると共にメインテナンス時に製品内機やその関連部に対する二次障害発生を防止することができるようになる。また作業時間短縮の効果も得られる。
【００４１】
請求項２記載の発明によれば、フロントケース下側面部には、複数本のガイドレール２２が設けられているので、スライダ３がよりスムーズにスライドできる。そして、押え板８は複数本のガイドレール２２のうちの一部のガイドレール２２Ｂ、Ｃを覆うので、押え板８の小型化が可能になり、押え板８のフロントケース２からの取り外しがより簡単になる。この結果、請求項２記載の発明によれば、メインテナンス性が更に向上する。
【００４２】
請求項３記載の発明によれば、フロントケース下側面部及びスライダ３には、スプリング支持部２１、３１が形成されており、これらに支持されたスプリング３２によりスライダ３が閉状態となるようにテンションがかけられている。したがって、使い勝手及びカードリーダ／ライタ部に対する防塵性が向上する。そして、押え板８はこのようなスプリング３２及びスプリング支持部２１、３１を覆うので、請求項３記載の発明によれば、請求項１記載の効果を享受しつつ、スライダ機構に対する防塵性も向上する。
【００４３】
請求項４記載の発明によれば、押え板８は請求項３記載のスプリング３２及びスプリング支持部２１、３１に加えて、複数本のガイドレール２２のうちの一部のガイドレール２２Ｂ、Ｃを覆うので、押え板８の小型化が可能になり、押え板８のフロントケース２からの取り外しがより簡単になる。この結果、請求項４記載の発明によれば、メインテナンス性が更に向上する。
【００４４】
請求項５記載の発明によれば、押え板８は下ケース９及び上ケース１のネジ止め箇所より、少ない箇所のネジ止めによりフロントケース下側面部に固定されているので、従来よりも少ない数のネジを緩めて取り外すだけで、フロントケース２からスライダ機構のチェックができるようになる。また、従来よりも取り外すネジの本数が少なくなるので、ネジを紛失する可能性も低くなる。この結果、請求項５記載の発明によれば、メインテナンス性がより向上する。
【図面の簡単な説明】
【図１】本発明のカード挿入口付電気機器の一実施形態を示す要部の分解下面図である。
【図２】図２（Ａ）及び（Ｂ）はそれぞれ、スライダ閉状態における正面図及び下面図である。
【図３】図３（Ａ）及び（Ｂ）はそれぞれ、スライダ開状態における正面図及び下面図である。
【図４】この種の電気機器の概観を示す斜視図である。
【図５】図５（Ａ）及び（Ｂ）はそれぞれ、スライダ閉状態における正面図及び下面図である。
【図６】図６（Ａ）及び（Ｂ）はそれぞれ、スライダ開状態における正面図及び下面図である。
【図７】従来の問題点を説明するための分解下面図である。
【符号の説明】
１  上ケース
２  フロントケース
３  スライダ
８  押え板
９  下ケース
８５、８６、９１、９２  貫通孔
２１、３１  スプリング支持部
１１、１２、２５、２６  ネジ穴
３２  スプリング
７５、７６  ネジ
２２Ａ〜Ｃ  ガイドレール
【図１】
0003831195.tif 000002
【図２】
0003831195.tif 000003
【図３】
0003831195.tif 000004
【図４】
0003831195.tif 000005
【図５】
0003831195.tif 000006
【図６】
0003831195.tif 000007
【図７】
0003831195.tif 000008